(57)【要約】【課題】  関節部材における自在な屈曲を可能として多様な姿勢を再現でき、関節を曲げた姿勢としても関節部分の形状が連続的に自然で違和感のない滑らかな形状が造形できるマネキン人形を提供する。【解決手段】  それぞれが中空の筒体である、大腿部に相当する大腿中空筒体１２０、膝関節に相当する膝関節中空筒体１３０、下腿部に相当する下腿中空筒体１４０と、それらの中空軸を貫くように挿通してそれらを支持安定させる支持芯材１５０を備えている。所望の姿勢に沿った形状とした支持芯材１５０に対して、大腿中空筒体１２０と膝関節中空筒体１３０と下腿中空筒体１４０を挿通させることにより所望の姿勢を維持させることができる。それぞれの接続箇所において表面のつながりを滑らかにするように形状を整えれば関節部分の形状が連続的に自然で違和感のない滑らかな形状が造形できる。【選択図】図５
2015195972.tif 000002
【特許請求の範囲】
【請求項１】
柔軟性のあるシートで外形を形成する筒袋シートと、内部に充填物が充填された構造を備え、中空の筒体である中空筒体と、
前記中空筒体の中空軸を貫くように挿通してそれらを支持安定させる支持芯材を備え、
前記筒袋シートが持つ柔軟性と内部充填された前記充填物の変形または移動により、その外形の変形と変形後の外形の維持を可能とし、所望の姿勢に沿った形状とした前記支持芯材に対して、前記中空筒体を挿通させることにより所望の姿勢を維持させることができるマネキン。
【請求項２】
前記中空筒体が、大腿部から膝関節さらに下腿部に相当する１パーツ構成であり、前記支持芯材によって前記中空筒体の中空軸を貫くように挿通してそれらを支持安定させ、所望の姿勢に沿った形状とした前記支持芯材に対して、前記中空筒体を挿通させることにより所望の姿勢を維持せしめた請求項１に記載のマネキン。
【請求項３】
前記中空筒体が、大腿部に相当する大腿中空筒体と、膝関節に相当する膝関節中空筒体と、下腿部に相当する下腿中空筒体の３パーツ構成であり、
前記支持芯材によって前記大腿中空筒体と前記膝関節中空筒体と前記下腿中空筒体の各々の中空軸を貫くように挿通してそれらを支持安定させ、
所望の姿勢に沿った形状とした前記支持芯材に対して、前記大腿中空筒体と前記膝関節中空筒体と前記下腿中空筒体を挿通させることにより所望の姿勢を維持せしめた請求項１に記載のマネキン。
【請求項４】
前記支持芯材が自在に屈曲可能な素材で形成され、前記支持芯材を所望の姿勢に沿った形状に変形させることにより、前記所望の姿勢を維持させることを特徴とする請求項１乃至３のいずれかに記載のマネキン。
【請求項５】
前記支持芯材を膝関節相当部分で屈曲させても、前記大腿中空筒体と前記膝関節中空筒体と前記下腿中空筒体のつなぎ目が滑らかになるよう、それぞれの径を調整せしめ、上端面の形状と下端面の形状を合わせることを特徴とする請求項１乃至４のいずれかに記載のマネキン。
【請求項６】
前記充填物が、空気である請求項３乃至５のいずれかに記載のマネキン。
【請求項７】
前記充填物が、綿、布片、発泡ビーズ、樹脂粒状物のいずれかまたはそれらの組み合わせとなっている請求項３乃至５のいずれかに記載のマネキン。
【請求項８】
足及び足首に相当する足部分を模した部材を前記下腿部中空筒体の下方に取り付けたことを特徴とする請求項１乃至７のいずれかに記載のマネキン。
【請求項９】
前記中空筒体が、肩関節から上腕部、膝関節、肘関節さらに前腕部に相当する１パーツ構成であり、前記支持芯材によって前記中空筒体の中空軸を貫くように挿通してそれらを支持安定させ、所望の姿勢に沿った形状とした前記支持芯材に対して、前記中空筒体を挿通させることにより所望の姿勢を維持せしめた請求項１に記載のマネキン。
【請求項１０】
前記中空筒体が、肩関節に相当する肩関節中空筒体と、上腕部に相当する上腕部中空筒体と、肘関節に相当する肘関節中空筒体と、前腕部に相当する前腕部中空筒体の４パーツ構成であり、
前記支持芯材によって前記肩関節中空筒体と前記上腕部中空筒体と前記肘関節中空筒体と前記前腕部中空筒体の各々の中空軸を貫くように挿通してそれらを支持安定させ、
所望の姿勢に沿った形状とした前記支持芯材に対して、前記肩関節中空筒体と前記上腕部中空筒体と前記肘関節中空筒体と前記前腕部中空筒体を挿通させることにより所望の姿勢を維持させることができる請求項１に記載のマネキン。
【請求項１１】
手および手首首に相当する手部分を模した部材を、前腕部中空筒体の先端に取り付けたことを特徴とする請求項９または１０に記載のマネキン。
【請求項１２】
請求項１乃至８のいずれかに記載の下半身のマネキンの前記支持芯材の上部を、上半身のトルソーの下面部分に対して挿通させて両者を合体支持可能とした全身を模したマネキン。
【請求項１３】
請求項１乃至８のいずれかに記載の下半身のマネキンと、請求項９乃至１１のいずれかに記載の上半身のマネキンを組み合わせた全身を模したマネキン。
【発明の詳細な説明】
【技術分野】
【０００１】
本発明は、マネキンの構造、特に下半身のマネキンの構造に関し、ズボンを装着させると人間がズボンを自然に履いた様子が再現できる等身大の下半身のマネキン構造に関するものである。
【背景技術】
【０００２】
従来からマネキン人形は洋服店などの店舗内に商品ディスプレイにおいて使用されており、今後もその需要はますます増大すると考えられている。
近年、ファッション業界のＶＭＤ（ビジュアル・マーチャン・ダイジング）によるディスプレイでは、よりリアルな表現が求められている。
マネキン人形は人の体型を模して製作されるが、従来からのマネキン人形としては、全身タイプのマネキンと、トルソータイプのマネキンが知られている。
【０００３】
全身タイプのマネキンは、硬質ＦＲＰなどの硬質の合成樹脂で製作されることが多い。硬質ＦＲＰマネキンは主にブランドのイメージ演出やメインのディスプレイに用いられ、人体により近い表現が可能であるが、コストが高く、また、商品の着せ替え処理に長時間を要してしまい、効率性に欠けるという問題があった。
【０００４】
トルソーは主に上半身のみの人の体型を模したものであり、下半身は主軸になっている。トルソーは、店頭で実際に商品を提案するときに用いられることが多く、近年のトルソーは、上半身部分は肩・腕などの関節や手首・指の関節までリアルに再現されている。
しかしながら、トルソーの下半身は主軸のみであり、特にボトムを着せ付けたときの表現方法がないため、上半身のリアルさに比べ下半身の不自然さが際立ってしまい、ボトムの持つシルエットデザインに関してディテールまでうまく表現できないという問題があった。
【０００５】
このように従来の全身タイプのマネキン、トルソータイプのマネキンには解決すべき問題点があるが、さらに、近年、マネキン人形は店頭でのディスプレイ、商品の見栄えを工夫する中、いろいろな姿勢を取ることが要求されている。例えば、ズボンをディスプレイする用途の腰から下の脚部を模したマネキン人形で言えば、直立姿勢、膝をやや曲げた立ち姿勢、イスなどに腰掛けた座り姿勢、片足を曲げてモノの上に置いたポーズ姿勢など多種多様な姿勢が求められることがある。そのために外形が変化できる可動式であることが要求される。
【０００６】
さらに、近年、商品の入れ替わりのサイクルが短くなり、また、需要者の注意喚起のため、アパレル店の店内ディスプレイが頻繁に変更するニーズが強くなっている。そのため、マネキン人形としては扱いやすく軽いものが求められている。
【０００７】
そこで、多様な姿勢が取れる可動式のマネキン人形、扱いやすい軽量のマネキン人形を開発すべく様々なものが提案されている。
【０００８】
例えば、特開２００２−１５３３６３号に開示されたマネキン人形は、図１０に示すように、フレキシブルに屈曲できる金属芯金１１と、肉付けのパーツとなる各々の連結部材を持ち、腕を自由な角度に曲げたりする可動式のマネキンとなっている。
【０００９】
また、特開２０１１−９２２４１号に開示されたマネキン人形は、図１１に示すように、プラスチックシートを切り出して丸めて筒状の立体物を形成し、プラスチックシートの一部を切り残して橋梁となる屈曲部を形成したものであり、腕などをある程度屈曲可能にした可動式のマネキンとなっている。
【００１０】
また、特開２０１２−１２０８８６号に開示されたマネキン人形は、図１２に示すように、腕などの躯体を樹脂のブロー成形などで筒状に形成しておき、関節に相当する部分に蛇腹式構造物を取り付け、各躯体を蛇腹式関節で接続して屈曲可能にした可動式のマネキンとなっている。
【００１１】
また、特開２００６−８７８８４号、特開２００８−４３４０８号、特開２００９−１１２３７６号、特開２００９−１３３０２０号、特開２０１１−２５０８３０号などに開示されたマネキン人形は、図１３に示すように、プラスチックフィルムなどで製作した袋体に空気を入れて膨張させて筒状の立体物を形成したものであり、いわゆる空気バルーン式のマネキンとなっており、軽量タイプとなっている。
【００１２】
【特許文献１】特開２００２−１５３３６３号公報
【特許文献２】特開２００６−０８７８８４号公報
【特許文献３】特開２００９−１１２３７６号公報
【特許文献４】特開２００９−１３３０２０号公報
【特許文献５】特開２０１１−２５０８３０号公報
【特許文献６】特開２００８−０４３４０８号公報
【特許文献７】特開２０１１−０９２２４１号公報
【特許文献８】特開２０１２−１２０８８６号公報
【発明の開示】
【発明が解決しようとする課題】
【００１３】
しかし、上記のような従来技術におけるマネキン人形には下記に示す問題があった。
【００１４】
まず、特開２００２−１５３３６３号公報に開示されたマネキン人形であるが、図１０に示すように、確かに関節を自在にまげて躯体の姿勢を自由にすることができる。しかし、図１０（ｂ）に示すように、関節を曲げた状態とすると、２つの躯体の接続角度が変わるが、関節部分は実際の人体の関節部分とは大きく変わるものであり、上から服を着せたとしても違和感のある仕上がりとなってしまう。図１０（ｂ）は膝関節部分を模しているが、膝がないためその箇所が痩せてしまいズボン生地が落ち込んだりシワになったりし、違和感が生じてしまう。
【００１５】
次に、特開２０１１−９２２４１号に開示されたマネキン人形であるが、図１１に示すように、プラスチックシートを丸めて形成した筒状の立体物を接続する屈曲部を曲げることにより、躯体の姿勢を自由にすることができる。しかし、図１１（ｂ）に示すように、関節を曲げたとしても、橋梁の曲がる方向が一方向のみであり、また、関節を曲げる角度も自在に曲げられる訳ではない。そのため、再現できる姿勢は限定的なものとならざるを得ず、マネキン人形に求められる多様な姿勢を再現できるものにはなっていない。
【００１６】
次に、特開２０１２−１２０８８６号に開示されたマネキン人形であるが、図１２に示すように、樹脂のブロー成形などで形成された腕などの躯体部分の接続構造物として、関節に相当する部分に蛇腹式構造物が取り付けられており、各躯体を自在に屈曲可能な可動式のマネキンとなっている。しかし、特開２０１２−１２０８８６号の開示によれば、「蛇腹付きストローのように蛇腹の山と谷の間の隣り合う斜面の長さを変えて形成されており、蛇腹を長さ方向に縮めることで陥入して重なり合う構造」と開示されているのみであり、蛇腹式の関節部分は図１２（ｂ）に示すように多様な方向に屈曲可能であるが、しかし蛇腹構造は、事実上、多少重量のあるものは支持できないという問題がある。つまり、蛇腹構造は山谷を所望の方向に屈曲させたとしても所望の状態で維持する手段がなく、上腕および手首や、膝下および足首の躯体部材の重量に負けて垂れ下がることとなる。先端側の躯体の重量を支えるほどの蛇腹構造にする必要があるが、その構造は如何なるものかまったく開示も示唆もない。蛇腹を形成する樹脂がかなり厚手で、屈曲にはかなりの力が必要となる程度の厚みが必要となってしまうが、このような蛇腹構造を開発・製造することはかなりのコストがかかってしまうという問題がある。
【００１７】
次に、特開２００６−８７８８４号、特開２００８−４３４０８号、特開２００９−１１２３７６号、特開２００９−１３３０２０号、特開２０１１−２５０８３０号に開示されたマネキン人形は、図１３に示すように、空気を入れて膨張させたいわゆる空気バルーン式のマネキンであり、軽量タイプとなっている。しかし、空気バルーンの形状を維持するには内部の空気圧を所定圧に保つ必要があり、いわゆる“ピン”と張った状態にする必要がある。そのため、形状は変化させることができず、マネキン人形としての姿勢は限定されたものとならざるを得ない。軽量であるが、躯体を曲げたりすることができないという問題があった。
【００１８】
そこで、上記問題に鑑み、本発明は、複数の躯体部材とそれらを接続する関節部材を備え、当該関節部材における自在な屈曲を可能として多様な姿勢を再現できるマネキン人形であり、かつ、関節を曲げた姿勢としても関節部分の形状が連続的に自然で違和感のない張りを持たせることが出来るマネキン人形を提供することを目的とする。また、関節部分のみならず、筋肉の部分についても微妙な膨らみや窪みを再現できるものとする。
さらに、本発明は、躯体をしっかりと支持しつつもマネキン人形の躯体全体としては軽量であるマネキン人形を提供することを目的とする。
【課題を解決するための手段】
【００１９】
上記目的を達成するため、本発明のマネキンは、柔軟性のあるシートで外形を形成する筒袋シートと、内部に充填物が充填された構造を備え、中空の筒体である中空筒体と、前記中空筒体の中空軸を貫くように挿通してそれらを支持安定させる支持芯材を備え、前記筒袋シートが持つ柔軟性と内部充填された前記充填物の変形または移動により、その外形の変形と変形後の外形の維持を可能とし、所望の姿勢に沿った形状とした前記支持芯材に対して、前記中空筒体を挿通させることにより所望の姿勢を維持させることができるマネキンである。
上記構成により、所望の姿勢に沿った形状とした支持芯材に対して、中空筒体を挿通させるだけで簡単に所望の姿勢を維持させることができるマネキンを得ることができる。
【００２０】
なお、中空筒体を大腿部から膝関節さらに下腿部を一体に形成した１パーツ構成とすると、関節部分にもつなぎ目がなく、被服させた素材の表面に段差やシワが形成されにくく、レディースや子供服に特に多いタイツやレギンス、スパッツなどのアイテムの商品をディスプレイするに適した下半身マネキンとすることができる。
【００２１】
また、中空筒体を大腿部に相当する大腿中空筒体と、膝関節に相当する膝関節中空筒体と、下腿部に相当する下腿中空筒体の３パーツ構成とし、前記支持芯材によって前記大腿中空筒体と前記膝関節中空筒体と前記下腿中空筒体の各々の中空軸を貫くように挿通してそれらを支持安定させ、所望の姿勢に沿った形状とした前記支持芯材に対して、前記大腿中空筒体と前記膝関節中空筒体と前記下腿中空筒体を挿通させることにより所望の姿勢を維持させることができる。
このように３パーツ構成とすれば、膝関節に相当する部分について膝関節の外形を表現することができ、ズボン生地を自然に支持して比較的窪みやシワなどが生じることが小さい良好な下半身マネキンとすることができる。
トルソータイプのマネキンは上半身を台座に支えるための主軸があるので、トルソーに組み合わせに適した中通し中空形状と言える。
【００２２】
ここで、上記構成において、大腿中空筒体と膝関節中空筒体と下腿中空筒体の構造を、柔軟性のあるシートで外形を形成する筒袋シートと、内部に充填物が充填された構造とすることが好ましい。このように筒袋シートと充填物の組み合わせで形成することにより、筒袋シートが持つ柔軟性と内部充填された充填物の変形または移動により、大腿中空筒体と膝関節中空筒体と下腿中空筒体の外形の変形と変形後の外形の維持が可能となる。
【００２３】
このように筒袋シートの中に紙やビニールなどの通称「あんこ」とも呼べる充填物を詰める構成により、さらにズボンなどを着た状態の人体の下肢の様々な形状を模すことができる。人体は姿勢に応じて筋肉の膨らみ方が変化し、関節の状態が変化するため、形状が不変な単純な筒を連接させただけでは人体の様々な姿勢の外形変化に追随できない。本発明のマネキンによれば、筋肉の膨らみの変化、関節の変化に沿った外形となるように充填物を変形させて筒袋シートの形状を変形・調整させることができ、かつ、その変形後の維持が維持できる。
【００２４】
例えば、充填物として、空気などの気体とすることができる。空気を充填したものであれば中空筒体は軽く仕上がり、かつ、支持芯材に沿って３パーツが並ぶために下半身が所望の姿勢となる下半身マネキンを得ることができる。
現状、店舗における売上の坪効率もデベロッパーに求められ、売場面積確保のためバックヤードおよびストックスペースも限られておる中、大腿中空筒体、膝関節中空筒体、下腿中空筒体の各パーツは支持芯材に対して簡単に脱着することができ、また、充填素材を抜けば使用しない時の収納時また運搬時なども場所を取らない。
【００２５】
例えば、充填物として、綿、布片、発泡ビーズ、樹脂粒状物のいずれかまたはそれらの組み合わせとすることができる。このように、綿素材、布素材を詰めたものであれば中空筒体は軽く仕上がり、かつ、上から押圧すれば多少の変形が可能となる。また、発泡ビーズや樹脂粒状物を充填した場合も同様、中空筒体は軽く仕上がり、かつ、上から押圧すれば多少の変形が可能となる。
【００２６】
膝関節にあたる部分の充填物の量を調整して内圧を低めることにより膝関節の曲げの表現が容易に行える。
例えば、膝を曲げて座る姿勢をとれば、大腿の正面側が少し膨出し、大腿の裏面側が平坦になり、膝表が前に凸状となり、膝裏がへこんで凹状になるが、内部の充填物を変形させることにより大腿中空筒体の形状、膝関節中空筒体の形状、下腿中空筒体の形状を所望の形に変化させることができる。
【００２７】
ここで、それぞれの大腿中空筒体と膝関節中空筒体と下腿中空筒体の概形であるが、各中空筒体の連結部のつながり方が自然に表現できる関係が好ましい。そこで、まず、支持芯材を膝関節相当部分で屈曲させても、大腿中空筒体と膝関節中空筒体と下腿中空筒体のつなぎ目が滑らかになるよう、それぞれの径を調整せしめる。一般には、大腿部は上部が腰につながるので比較的太く、下方に向かうにつれ徐々に細くなってゆく。大腿中空筒体はそのように下方に向かうほど径が細くなる形状とする。大腿中空筒体の下端の径と膝関節中空筒体の上端の径が略等しいように調整しておく。膝関節中空筒体は例えば略寸胴で良い。下腿中空筒体の上端の径は膝関節中空筒体の下端の径が略等しいように調整しておく。
【００２８】
支持芯材は、直立姿勢、片足曲げ姿勢、中腰姿勢、座り姿勢など種々の姿勢のものを用意しても良いし、支持芯材を自在に屈曲可能な素材で形成して支持芯材を所望の姿勢に沿った形状に変形させることでも良い。針金を束ねて形成した支持芯材であれば、その太さが適度であれば作業者の手で曲げることができ、所望の姿勢を取らせることが可能である。
【００２９】
なお、下半身マネキンに対して、さらに、足及び足首に相当する足部分を模した部材を下腿部中空筒体の下方に取り付ければ、靴を履かせることもでき、より一層、見栄えのあるマネキンとして人体を模することができる。
【００３０】
上記は本発明にかかる下半身マネキンであるが、上半身マネキンも同様に構成することができる。本発明の上半身マネキンは、中空の筒体であり肩関節に相当する肩関節中空筒体と、中空の筒体であり上腕部に相当する上腕部中空筒体と、中空の筒体であり肘関節に相当する肘関節中空筒体と、中空の筒体であり前腕部に相当する前腕部中空筒体と、前記肩関節中空筒体と前記上腕部中空筒体と前記肘関節中空筒体と前記前腕部中空筒体の各々の中空軸を貫くように挿通してそれらを支持安定させる支持芯材を備え、所望の姿勢に沿った形状とした前記支持芯材に対して、前記肩関節中空筒体と前記上腕部中空筒体と前記肘関節中空筒体と前記前腕部中空筒体を挿通させることにより所望の姿勢を維持させることができる上半身マネキンである。
【００３１】
なお、上記の上半身マネキンに対して、さらに、手および手首首に相当する手部分を模した部材を前腕部中空筒体の先端に取り付ければ、手指さらにグッズや道具を握らせることもでき、より一層、見栄えのあるマネキンとして人体を模することができる。
【００３２】
当然、本発明のマネキンを組み合わせることができる。
例えば、下半身マネキンの支持芯材の上部を、上半身トルソーの下面部分に対して挿通させて両者を合体支持することができる。
また、本発明の下半身マネキンと本発明の上半身マネキンとを組み合わせて全身マネキンとすることもできる。
【発明の効果】
【００３３】
本発明のマネキンによれば、所望の姿勢に沿った形状とした支持芯材に対して、一体の中空筒体または３つの大腿中空筒体、膝関節中空筒体および下腿中空筒体を挿通させるだけで簡単に所望の姿勢を維持させることができる下半身マネキンを得ることができる。大腿中空筒体、膝関節中空筒体、下腿中空筒体の３パーツを持っているため、特に、膝関節に相当する部分について膝関節の外形を表現することができ、ズボン生地を自然に支持して窪みやシワなどが生じることがない良好な下半身マネキンとすることができる。
上半身マネキンも同様に、所望の姿勢に沿った形状とした支持芯材に対して、一体の中空筒体または４つの肩関節中空筒体、上腕部中空筒体、肘関節中空筒体および前腕部中空筒体の各々の中空軸を貫くように挿通させるだけで簡単に所望の姿勢を維持させることができる上半身マネキンを得ることができる。
【発明を実施するための最良の形態】
【００３４】
以下、図面を参照しつつ、本発明のマネキンの実施形態を説明する。ただし、本発明の技術的範囲は以下の実施形態に示した具体的な用途や形状・寸法などには限定されない。
【実施例１】
【００３５】
図１は本発明のマネキン１００の構成例（１パーツ構成）を簡単に示す図である。
図１では内部の構造が分かりやすいように、本発明を理解する上で必要な部材のみを図示しており、他の一部の部材については図示していない場合もある。
図１の１パーツ構成のマネキン１００は、一つながりの中空筒体１１０を備えた構成となっている。
この中空筒体１１０は、中空の筒体であり、人体の大腿から膝関節さらに下腿までに相当する形状を備えたものとなっている。大腿部は上端が腰につながるので比較的太く、下方に向かうにつれ徐々に細くなってゆく。
中空筒体１１０は、柔軟性のあるシートで外形を形成する筒袋シート１１１と、内部に充填された充填物１１２と、中心軸に沿って設けられた中空１１３を備えた構成とする。中空１１３には後述するように支持芯材１５０が挿通されることなる。
【００３６】
例えば、筒袋シート１１１がビニルシート、充填物１１２が空気という構成がある。ただし、ここで、中空筒体１１０内に充填する空気量を調整して、ビニルシートである筒袋シート１１１がピンと張る張力が得られず“たわみ”ができる程度の空気量とすることが好ましい。ビニルシートがピンと張るものであると、筒袋シート１１１の外形が変形できず、手指で押して窪みを付けても外力がなくなると元の形状に復元してしまうからである。多少のたわみが生じる程度の余裕があれば、筒袋シート１１１の外形を変形することができ、維持することができる。特に、膝関節に相当する箇所において角度を変えられるような“遊び”が得られることとなる。
【００３７】
また、例えば、筒袋シート１１１がビニルシート、充填物１１２が、綿、布片、発泡ビーズ、樹脂粒状物のいずれかまたはそれらの組み合わせという構成がある。この構成においても、中空筒体１１０内に充填する充填物１１２の充填量を調整して、筒袋シート１１１であるビニルシートがピンと張る張力が得られず“たわみ”ができる程度の充填量とすることが好ましい。空気と同様、ビニルシートがピンと張るものであると、手指で押して窪みを付けても外力がなくなると元の形状に復元してしまうが、多少のたわみが生じる程度の余裕があれば、筒袋シートの外形を変形することができ、維持することができる。同様に、膝関節に相当する箇所において角度を変えられるような“遊び”が得られる
【００３８】
このように、中空筒体１１０に遊びがあって変形可能であれば、支持芯材１５０を屈曲させても、中空筒体１１０全体がその支持芯材１５０の形状に沿うように滑らかに変形することができる。
なお、中空筒体１１０が１パーツ構成であれば、後述する３パーツ構成に比べてつなぎ目がなくなり、膝関節などに相当する箇所で中空筒体１１０が屈曲しているような模型を形成したとしても段差が生じにくい。このように中空筒体を大腿部から膝関節さらに下腿部を一体に形成した１パーツ構成とすると、関節部分にもつなぎ目がなく、被服させた素材の表面に段差やシワが形成されにくく、レディースや子供服に特に多いタイツやレギンス、スパッツなどのアイテムの商品をディスプレイするに適した下半身マネキンとすることができる。
【００３９】
次に、支持芯材１５０について説明する。
支持芯材１５０は、中空筒体１１０の中空軸を貫くように挿通してそれらを支持安定させる部材である。支持芯材１５０の下部に台座１５１を設けた構造であっても良い。
【００４０】
所望の姿勢に沿った形状とした支持芯材１５０を用意し、その支持芯材１５０に対して中空筒体１１０を挿通させることにより、それらを所望の姿勢を維持させる。
【００４１】
ここで、支持芯材１５０として、もっとも簡単には棒状の素材である。
支持芯材１５０は、人手で簡単に曲げられないものであっても良く、また、逆に自在に屈曲可能な素材で形成されたものでも良い。もし、支持芯材１５０が人手で簡単に曲げられないものである場合、所望の姿勢に沿った形状ごとに支持芯材１５０を準備することとなる。もし、支持芯材１５０を自在に屈曲可能な素材で形成した場合、所望の姿勢に沿って支持芯材１５０の形状を変形させればよい。
【００４２】
図２は、直立状態の支持芯材１５０を用意し、支持芯材１５０に対して中空筒体１１０を挿通して下半身マネキン１００を作成した例である。
支持芯材１５０は、台座１５１から２本の支持芯材１５０ａと１５０ｂが直立する形で突出している。この支持芯材１５０ａ，１５０ｂに対して中空筒体１１０を挿通して下半身マネキン１００を作成する。
中空筒体１１０は一体であるので、大腿部から膝関節さらに下腿部まで表面が滑らかにつながっており、被服させた素材の表面に段差やシワが形成されにくくなっている。
【００４３】
次に、図３は、膝を軽く曲げ、ポーズを付けた状態の支持芯材１５０を用意し、下半身マネキン１００を作成した例である。
図３（ａ）は、膝を軽く曲げた状態の支持芯材１５０の例である。左側面で示している。台座１５１から２本の支持芯材１５０ａと１５０ｂが突出しているが、それぞれ軽く屈曲した形状となっている。
この屈曲形状の支持芯材１５０ａと１５０ｂは、支持芯材が人手で簡単に曲げられないものである場合にはこの姿勢に沿った形状の支持芯材１５０ａ、１５０ｂをあらかじめ準備することとなる。支持芯材１５０が人手で簡単に曲げられるものである場合には、図３（ａ）の状態となるよう支持芯材１５０ａ、１５０ｂを手で折り曲げて造形する。
【００４４】
図３（ｂ）は、この図３（ａ）の支持芯材１５０ａ，１５０ｂに対して中空筒体１１０を挿通して下半身マネキン１００を作成した例である。支持芯材１５０ａおよび１５０ｂに対して、上から中空筒体１１０を挿通して行けばよい。このように支持芯材１５０の形状に沿って上から中空筒体１１０を挿通してゆくだけで、所望の姿勢をとった下半身マネキン１００を大まかに得ることができる。
この図３（ｂ）の状態の下半身マネキン１００に対してズボンなどを着用させてディスプレイを完成させる。
【００４５】
次に、３パーツ構成の本発明のマネキン１００ａの構成例を示す。
図４は本発明のマネキン１００ａの構成例（３パーツ構成）を簡単に示す図である。
図４では内部の構造が分かりやすいように、本発明を理解する上で必要な部材のみを図示しており、他の一部の部材については図示していない場合もある。
図４の３パーツ構成のマネキン１００ａは、大腿中空筒体１２０、膝関節中空筒体１３０、下腿中空筒体１４０、支持芯材１５０を備えた構成となっている。
【００４６】
大腿中空筒体１２０は、中空の筒体であり大腿部に相当する部材であり、外形が人体の大腿部を模した形状となっている。大腿部は上端が腰につながるので比較的太く、下方に向かうにつれ徐々に細くなってゆく。また、大腿中空筒体１２０の下端は膝を模した膝関節中空筒体１３０につながるので、膝の径と膝関節中空筒体１３０の上端の径が略等しいように調整しておく。このように、大腿中空筒体１２０はそのように下方に向かうほど径が細くなる形状とする。
大腿中空筒体１２０は、柔軟性のあるシートで外形を形成する筒袋シート１２１と、内部に充填された充填物１２２と、中心軸に沿って設けられた中空１２３を備えた構成とする。中空１２３には後述するように支持芯材１５０が挿通されることなる。
【００４７】
膝関節中空筒体１３０は、中空の筒体であり膝関節に相当する部材であり、外形が人体の膝を模した形状となっている。膝関節中空筒体１３０は比較的長さの短い略寸胴で良い。
膝関節中空筒体１３０も、同様に、柔軟性のあるシートで外形を形成する筒袋シート１３１と、内部に充填された充填物１３２と、中心軸に沿って設けられた中空１３３を備えた構成とする。中空１３３には後述するように支持芯材１５０が挿通されることなる。
【００４８】
下腿中空筒体１４０は、中空の筒体であり下腿部に相当する部材であり、外形が人体の下腿部を模した形状となっている。下腿部は下端が足首につながるので比較的細く、下方に向かうにつれ徐々に細くなってゆく。ふくらはぎに相当する部分を少し膨出させても良い。下腿中空筒体１４０の上端の径は膝関節中空筒体１３０の下端の径が略等しいように調整しておく。
下腿中空筒体１４０も、同様に、柔軟性のあるシートで外形を形成する筒袋シート１４１と、内部に充填された充填物１４２と、中心軸に沿って設けられた中空１４３を備えた構成とする。中空１４３には後述するように支持芯材１５０が挿通されることなる。
【００４９】
これら、大腿中空筒体１２０、膝関節中空筒体１３０、下腿中空筒体１４０は支持芯材１５０に対してそれぞれの中空部分１２３、１３３、１４３を挿通して行くことにより順に連接して行く。
【００５０】
ここで、大腿中空筒体１２０、膝関節中空筒体１３０、下腿中空筒体１４０の連接が滑らかにする工夫について述べる。
まず、大まかに連接部分の径を合わせておく工夫がある。
大腿中空筒体１２０、膝関節中空筒体１３０、下腿中空筒体１４０のそれぞれの径を調整せしめ、上端面の形状と下端面の形状を合わせるように成形しておけば、大腿中空筒体１２０と膝関節中空筒体１３０と下腿中空筒体１４０のつなぎ目が大まかに揃うこととなる。
【００５１】
次に、つなぎ目の表面を滑らかに繋ぐよう、端面の形状を変化させて調整する工夫である。つまり、外皮である筒袋シートが持つ柔軟性と内部充填された充填物の変形や内部移動により外形を変化させるものである。
それぞれの筒袋シート１２１、１３１、１４１が反発性の小さい素材あり、それぞれの充填物１２２、１３２、１４２も外力に追随して形状が変化するものであれば、大腿中空筒体１２０、膝関節中空筒体１３０、下腿中空筒体１４０のそれぞれにおいて変形後の外形を維持することができる。
【００５２】
上記の例として、例えば、筒袋シートがビニルシート、充填物が空気という構成がある。ただし、ここで、中空の筒体内に充填する空気量を調整して、ビニルシートがピンと張る張力が得られず“たわみ”ができる程度の空気量とすることが好ましい。ビニルシートがピンと張るものであると、筒袋シートの外形が変形できず、手指で押して窪みを付けても外力がなくなると元の形状に復元してしまうからである。多少のたわみが生じる程度の余裕があれば、筒袋シートの外形を変形することができ、維持することができる。特に、大腿中空筒体１２０と膝関節中空筒体１３０との接合箇所、膝関節中空筒体１３０と下腿中空筒体１４０との接合箇所において角度を変えられるような“遊び”が得られることとなる。
【００５３】
また、例えば、筒袋シートがビニルシート、充填物が、綿、布片、発泡ビーズ、樹脂粒状物のいずれかまたはそれらの組み合わせという構成がある。この構成においても、中空の筒体内に充填する充填物の充填量を調整して、ビニルシートがピンと張る張力が得られず“たわみ”ができる程度の充填量とすることが好ましい。空気と同様、ビニルシートがピンと張るものであると、手指で押して窪みを付けても外力がなくなると元の形状に復元してしまうが、多少のたわみが生じる程度の余裕があれば、筒袋シートの外形を変形することができ、維持することができる。同様に、大腿中空筒体１２０と膝関節中空筒体１３０との接合箇所、膝関節中空筒体１３０と下腿中空筒体１４０との接合箇所において角度を変えられるような“遊び”が得られる
【００５４】
このように、大腿中空筒体１２０と膝関節中空筒体１３０と下腿中空筒体１４０の接合箇所の径が略同じで、かつ、接合箇所に遊びがあって変形可能であれば、支持芯材１５０を屈曲させても、大腿中空筒体１２０と膝関節中空筒体１３０と下腿中空筒体１４０のつなぎ目が滑らかになるように調整して変形することができる。
【００５５】
図５は、大腿中空筒体１２０と膝関節中空筒体１３０との接合箇所の変形の様子を簡単に説明する図である。
図５（ａ）に示す状態は、大腿中空筒体１２０と膝関節中空筒体１３０との接合箇所が直立状態、つまり両者が正対状態にある。この場合、大腿中空筒体１２０の下端箇所、膝関節中空筒体１３０の上端箇所とも特に変形せず、基本形のまま両者を接近させておけば良い。
【００５６】
図５（ｂ）に示す状態は、大腿中空筒体１２０と膝関節中空筒体１３０との接合箇所が屈曲状態、つまり両者に角度が付いた状態にある。この場合、大腿中空筒体１２０の下端箇所、膝関節中空筒体１３０の上端箇所とも変形させる。一例としては、大腿中空筒体１２０の下端の正面側を引き出し、また、膝関節中空筒体１３０の上端の正面側を引き出し、両者を滑らかに接合させる。同時に、大腿中空筒体１２０の下端の裏面側を押し込み、また、膝関節中空筒体１３０の上端の裏面側を押し込み、両者を滑らかに接合させる。このように、両者に角度を付けた状態でその接合箇所を滑らかに接合させる。
図５（ｂ）の左図から右図に示すような要領で、大腿中空筒体１２０と膝関節中空筒体１３０との接合箇所の直立状態や屈曲状態を自在に調整して滑らかな関節の伸長や屈曲を造形する。
【００５７】
図６は、直立状態の支持芯材１５０を用意し、下半身マネキン１００ａを作成した例である。
図６は、直立状態の支持芯材１５０の例である。台座１５１から２本の支持芯材１５０ａと１５０ｂが直立する形で突出している。この図５の支持芯材１５０ａ，１５０ｂに対して大腿中空筒体１２０と膝関節中空筒体１３０と下腿中空筒体１４０を挿通して下半身マネキン１００ａを作成した例である。
接合箇所において、大腿中空筒体１２０と膝関節中空筒体１３０との接合箇所、膝関節中空筒体１３０と下腿中空筒体１４０との接合箇所は、基本形のままそれらを接近させておけば接合箇所が滑らかになる。
【００５８】
次に、図７は、膝を深く曲げ、しゃがんだ状態の支持芯材１５０を用意し、下半身マネキン１００ａを作成した例である。
図７（ａ）は、膝を深く曲げ、しゃがんだ状態の支持芯材１５０の例である。左側面で示している。台座１５１から２本の支持芯材１５０ａと１５０ｂが突出しているが、それぞれ屈曲した形状となっている。なお、図７では分かりやすいように左足にあたる支持芯材１５０ｂのみを示している。
この屈曲形状の支持芯材１５０ａと１５０ｂは、支持芯材が人手で簡単に曲げられないものである場合にはこの姿勢に沿った形状の支持芯材１５０ａ、１５０ｂをあらかじめ準備することとなる。もし、支持芯材が人手で簡単に曲げられるものである場合には、図６（ａ）の状態から図７（ａ）の状態となるよう支持芯材１５０ａ、１５０ｂを手で折り曲げて造形する。
【００５９】
図７（ｂ）は、この図７（ａ）の支持芯材１５０ａ，１５０ｂに対して大腿中空筒体１２０と膝関節中空筒体１３０と下腿中空筒体１４０を挿通して下半身マネキン１００ａを作成した例である。支持芯材１５０ａおよび１５０ｂに対して、上から下腿中空筒体１４０、膝関節中空筒体１３０、大腿中空筒体１２０の順に挿通して行けばよい。このように支持芯材１５０の形状に沿って上から順々に挿通してゆくだけで、所望の姿勢をとった下半身マネキン１００ａを大まかに得ることができる。
この状態から、大腿中空筒体１２０と膝関節中空筒体１３０と下腿中空筒体１４０の接合箇所を滑らかに仕上げて図７（ｂ）の状態を得る。
【００６０】
接合箇所において、大腿中空筒体１２０と膝関節中空筒体１３０との接合箇所は、深い屈曲状態、つまり両者に角度が付いた状態にある。この場合、大腿中空筒体１２０の下端箇所、膝関節中空筒体１３０の上端箇所とも変形させる。大腿中空筒体１２０の下端の正面側を引き出し、また、膝関節中空筒体１３０の上端の正面側を引き出し、両者を滑らかに接合させる。同時に、大腿中空筒体１２０の下端の裏面側を押し込み、また、膝関節中空筒体１３０の上端の裏面側を押し込み、両者を滑らかに接合させる。
【００６１】
また、同様に、膝関節中空筒体１３０と下腿中空筒体１４０との接合箇所も、深い屈曲状態、つまり両者に角度が付いた状態にある。この場合、膝関節中空筒体１３０の下端箇所、下腿中空筒体１４０の上端箇所とも変形させる。膝関節中空筒体１３０の下端の正面側を引き出し、また、下腿中空筒体１４０の上端の正面側を引き出し、両者を滑らかに接合させる。同時に、膝関節中空筒体１３０の下端の裏面側を押し込み、また、下腿中空筒体１４０の上端の裏面側を押し込み、両者を滑らかに接合させる。
これら作業を経ると、図７（ｂ）に示すような、表面が滑らかに仕上げられたあたかも人がしゃがんで座ったような形状の下半身マネキン１００ａが得られる。
【００６２】
一方、比較のため、膝関節中空筒体１３０がない場合の様子を図８に示す。
図８に示すように、膝関節中空筒体１３０がない場合、膝に相当する部分には、大腿中空筒体１２０の下端と下腿中空筒体１４０の上端が前方に突き出ているが、どうしても両者を滑らかに繋げることができない。そのため、しゃがんだ姿勢では肝心な箇所となる膝部分がうまく表現できない。
膝関節中空筒体１３０がある本発明のマネキン１００ａによれば、図７に示したように膝部分の表現が滑らかに人体を模したものとなる。
【００６３】
以上、実施例１の本発明のマネキン１００ａによれば、所望の姿勢に沿った形状とした支持芯材１５０に対して、中空の筒体である３つの部材、大腿中空筒体１２０、膝関節中空筒体１３０、下腿中空筒体１４０を挿通させるだけで簡単に支持芯材１５０の形状に沿った下半身マネキン１００ａを大まかに得ることができ、さらに、それら部材の接合箇所の表面が滑らかになるよう筒袋シートおよび充填物の形状を調整して滑らかな下半身マネキン１００ａとすることができる。
また、大腿中空筒体１２０、膝関節中空筒体１３０、下腿中空筒体１４０の３パーツを持っているため、特に、膝関節に相当する部分について膝関節の外形を表現することができ、ズボン生地を自然に支持して窪みやシワなどが生じることがない良好な下半身マネキンとすることができる。
【実施例２】
【００６４】
実施例２の本発明のマネキン３００は、全身マネキン３００とした例である。
図９は、本発明のマネキン３００の構成を簡単に示す図である。図９に示した例では、下半身マネキン１００ａの上方に上半身マネキン２００を取り付けた構成となっている。
下半身マネキン１００ａに関しては、実施例１に説明した下半身マネキン１００ａの構成と同様で良く、その説明は適宜省略する。
【００６５】
上半身マネキン２００は、下半身マネキン１００ａと同様、所望の姿勢に沿った形状とした支持芯材２５０に対して、肩関節中空筒体２１０と上腕部中空筒体２２０と肘関節中空筒体２３０と前腕部中空筒体２４０の各々の中空軸を貫くように挿通して形成したものである。
【００６６】
図９に示すように、実施例１の場合と同様、肩関節中空筒体２１０と上腕部中空筒体２２０と肘関節中空筒体２３０と前腕部中空筒体２４０の各々の接合箇所において滑らかになるよう、各部材の表面が滑らかになるように調整されている。
【００６７】
図１０は、本発明のマネキン３００ａの構成を簡単に示す図である。図１０に示した例では、下半身マネキン１００ａの上方に上半身トルソー２００ａを取り付けた構成となっている。
上半身トルソー２００ａは、上半身を模したマネキンで市販品が流通している。その上半身トルソー２００ａを用いれば良い。しかし、上半身トルソー２００ａによっては腕の関節がない場合も多い。もし、上半身が長袖などの服を着せて腕の動きを付けたい場合、腕付きのトルソー２００ａを用いることが好ましい。
上半身マネキン２００を用いれば、足、腕の動きが自在に表現することができ、ズボンを着せた足の動きに加え、長袖などの服を着せて腕の動きを付けることも可能となる。
【００６８】
以上、本発明のマネキンの実施例を説明してきたが、本発明の技術的範囲を逸脱することなく種々の変更が可能であることは理解されるであろう。
【産業上の利用可能性】
【００６９】
本発明は、被服を着せてディスプレイすることができるマネキンとして広く適用することができる。
【図面の簡単な説明】
【００７０】
【図１】本発明のマネキン１００の構成例（１パーツ構成）を簡単に示す図である。
【図２】直立状態の支持芯材１５０を用意し、支持芯材１５０に対して中空筒体１１０を挿通して下半身マネキン１００を作成した例を示す図である。
【図３】膝を軽く曲げ、ポーズを付けた状態の支持芯材１５０を用意し、下半身マネキン１００を作成した例を示す図である。
【図４】本発明のマネキン１００ａの構成例（３パーツ構成）を簡単に示す図である。
【図５】大腿中空筒体１２０と膝関節中空筒体１３０との接合箇所の変形の様子を簡単に説明する図である。
【図６】直立状態の支持芯材１５０を用意し、下半身マネキン１００ａを作成した例である。
【図７】膝を深く曲げ、しゃがんだ状態の支持芯材１５０を用意し、下半身マネキン１００ａを作成した例である。
【図８】膝関節中空筒体１３０がない場合の様子を示す図である。
【図９】本発明のマネキン３００の構成を簡単に示す図である。
【図１０】本発明のマネキン３００ａの構成を簡単に示す図である。
【図１１】従来技術の特開２００２−１５３３６３号に開示されたマネキン人形を示した図である。
【図１２】従来技術の特開２０１１−９２２４１号に開示されたマネキン人形を示した図である。
【図１３】従来技術の特開２０１２−１２０８８６号に開示されたマネキン人形を示した図である。
【図１４】従来技術の特開２００６−８７８８４号などに開示されたマネキン人形を示した図である。
【符号の説明】
【００７１】
１００，１００ａ  マネキン
１１０  中空筒体
１２０  大腿中空筒体
１３０  膝関節中空筒体
１４０  下腿中空筒体
１５０  支持芯材
１５１  台座
２００  上半身マネキン
２００ａ  上半身トルソー
２１０  肩関節中空筒体
２２０  上腕部中空筒体
２３０  肘関節中空筒体
２４０  前腕部中空筒体
２５０  支持芯材
３００，３００ａ  全身マネキン
【図１】
2015195972.tif 000003
【図２】
2015195972.tif 000004
【図３】
2015195972.tif 000005
【図４】
2015195972.tif 000006
【図５】
2015195972.tif 000007
【図６】
2015195972.tif 000008
【図７】
2015195972.tif 000009
【図８】
2015195972.tif 000010
【図９】
2015195972.tif 000011
【図１０】
2015195972.tif 000012
【図１１】
2015195972.tif 000013
【図１２】
2015195972.tif 000014
【図１３】
2015195972.tif 000015
【図１４】
2015195972.tif 000016